(57)【特許請求の範囲】
【請求項１】
モータが設置され、前面に前記モータの駆動軸が連結された状態で翼が回転可能に設置されるフレームと、
前記フレームの後方に延長し、前記モータに連結された電源線が内部の挿入孔に前後に貫通して結合され、横方向一側に間隔部が離隔して形成される挿入管と、
前記挿入管の外周に雌雄で対応結合するように中孔が前後に貫通して形成され、前記挿入管に結合時に、前記間隔部によって前記電源線の外周を加圧支持するように内周面に加圧突起が突出して形成される結合リングと、を含むことを特徴とする防水ファンケースのケーブル固定構造。
【請求項２】
前記間隔部内には、両端が前記挿入管の両分された端部にそれぞれ連結され、前記挿入管より相対的に薄い厚さを有する折り曲げ部材がさらに形成され、
前記折り曲げ部材は、前記加圧突起の加圧力によって前記挿入孔に折り曲げ延長し、折り曲げ延長した先端が前記電源線の外周を加圧支持することを特徴とする請求項１に記載の防水ファンケースのケーブル固定構造。
【請求項３】
前記折り曲げ部材は、折り曲げ延長した先端が曲面で形成されていることを特徴とする請求項２に記載の防水ファンケースのケーブル固定構造。
【請求項４】
前記加圧突起の前端には、前記結合リングを前記挿入管に結合時に、前記折り曲げ部材の後端を前記挿入孔に押して係止を防止するための傾斜面がさらに形成されていることを特徴とする請求項２に記載の防水ファンケースのケーブル固定構造。
【請求項５】
前記間隔部を基準として分割された両端は、前記挿入孔と反対する横方向に行くほど互いに対応する方向に幅が次第に広がる案内面がそれぞれ形成され、
前記案内面は、前記結合リングを前記挿入管に結合時に、前記加圧突起を前記挿入孔に案内することを特徴とする請求項１に記載の防水ファンケースのケーブル固定構造。
【請求項６】
前記挿入管の内周には、前記挿入孔内に挿入された前記電源線の外周を補助的に加圧支持するための補助加圧突起がさらに突出して形成されていることを特徴とする請求項１に記載の防水ファンケースのケーブル固定構造。
【請求項７】
前記補助加圧突起は、
前記加圧突起と対応する位置に同一線上に位置し、前記電源線の外周の径方向両端を両方向でそれぞれ支持することを特徴とする請求項６に記載の防水ファンケースのケーブル固定構造。
【発明の詳細な説明】
【技術分野】
【０００１】
本発明は、防水ファンケースのケーブル固定構造に関し、さらに詳しくは、加圧突起が形成された結合リングを挿入管の外周に対応結合させ、挿入管に結合された電源線の外周を加圧支持することで、電源線に外力が加えられても電源線の位置が移動することなく、あるいは、抜けることなく、電子機器と電源線との連結部位に衝撃が加わることを防止することができる防水ファンケースのケーブル固定構造に関する。
【背景技術】
【０００２】
一般的に、送風ファンは、インペラまたはローターの回転力によって空気を圧送するための手段として使用されており、加湿器、冷蔵庫、空気調和機、掃除機などにおける空気の吸入及び排出の用途で使用される。
【０００３】
このような従来の送風ファンは、排出口が形成されたケースと、前記ケースの中央に設置されたモータと、前記モータの駆動軸に回転可能に設置された翼などで構成され、モータには、電源を供給するための電源線が電気的に連結される。
【０００４】
ここで、大部分の電源線は、モータに接続された状態でケースの後方などを通して外部に延長し、電源供給装置に電気的に連結される。
【０００５】
しかし、従来の送風ファンは、電源線が安定して固定されていない状態で電源供給装置に連結される構造が多くあるため、電源線が外力により移動されて、電源線の接続部位に衝撃が加わる恐れがあった。
【０００６】
このように、電源線が固定的に位置を維持せず移動される場合、電源線とモータとの接続部位に衝撃が伝わり分離される恐れがあるため、電源線をより強固に固定することができ、必要に応じて、容易に分離可能な構造が求められる。
【０００７】
本発明の関連文献として、特許文献１に、ファンモータケースシーリング部材とファンモータケースが開示されている。
【先行技術文献】
【特許文献】
【０００８】
【特許文献１】韓国公開特許第１０−２０１０−０１１２９２８号公報
【発明の概要】
【発明が解決しようとする課題】
【０００９】
本発明の目的は、加圧突起が形成された結合リングを挿入管の外周に対応結合させ、挿入管に結合された電源線の外周を加圧支持することで、電源線に外力が加えられても電源線の位置が移動したり、抜けたりすることなく、電源線の結合部位に水分が浸透しないため、防水性能を高めることができ、構造が単純であるため、脱着の容易性を有する防水ファンケースのケーブル固定構造を提供することにある。
【課題を解決するための手段】
【００１０】
本発明による防水ファンケースのケーブル固定構造は、モータが設置され、前面に前記モータの駆動軸が連結された状態で翼が回転可能に設置されるフレームと、前記フレームの後方に延長し、前記モータに連結された電源線が内部の挿入孔に前後に貫通して結合され、横方向一側に間隔部が離隔して形成される挿入管と、前記挿入管の外周に雌雄で対応結合するように中孔が前後に貫通して形成され、前記挿入管に結合時に、前記間隔部によって前記電源線の外周を加圧支持するように内周面に加圧突起が突出して形成される結合リングとを含むことを特徴とする。
【００１１】
ここで、前記間隔部内には、両端が前記挿入管の両分された端部にそれぞれ連結され、前記挿入管より相対的に薄い厚さを有する折り曲げ部材がさらに形成されることができる。
【００１２】
また、前記折り曲げ部材は、前記加圧突起の加圧力によって前記挿入管に折り曲げ延長し、折り曲げ延長した先端が前記電源線の外周を加圧支持することができる。
【００１３】
また、前記折り曲げ部材は、折り曲げ延長した先端が曲面で形成されることができる。
【００１４】
また、前記加圧突起の前端には、前記結合リングを前記挿入管に結合時に、前記折り曲げ部材の後端を前記挿入孔に押して係止を防止するための傾斜面がさらに形成されることができる。
【００１５】
また、前記間隔部を基準として分割された両端は、前記挿入孔と反対する横方向に行くほど互いに対応する方向に幅が次第に広がる案内面がそれぞれ形成されることができる。
【００１６】
また、前記案内面は、前記結合リングを前記挿入管に結合時に、前記加圧突起を前記挿入孔に案内することができる。
【００１７】
また、前記挿入管の内周には、前記挿入孔内に挿入された前記電源線の外周を補助的に加圧支持するための補助加圧突起がさらに突出して形成されることができる。
【００１８】
また、前記補助加圧突起は、前記加圧突起と対応する位置に同一線上に位置し、前記電源線の両端を両方向でそれぞれ支持することができる。
【発明の効果】
【００１９】
本発明は、加圧突起が形成された結合リングを挿入管の外周に対応結合させ、挿入管に結合された電源線の外周を加圧支持することで、電源線に外力が加えられても電源線の位置が移動するか抜けることなく、これを通じて、電源線の連結部位に衝撃が加わることを防止することができる効果を有する。
【００２０】
また、電源線の結合部位に水分が浸透しないため、防水性能を高めることができ、構造が単純であるため、脱着の容易性があり、安価でファンが量産可能な効果を有する。
【図面の簡単な説明】
【００２１】
【図１】本発明による防水ファンケースのケーブル固定構造を示すための斜視図である。
【図２】本発明による防水ファンケースのケーブル固定構造を示すための正面図である。
【図３】本発明による防水ファンケースのケーブル固定構造を示すための背面図である。
【図４】本発明による防水ファンケースのケーブル固定構造を示すための側面図である。
【図５】本発明による防水ファンケースのケーブル固定構造を示すための側断面図である。
【図６】本発明による防水ファンケースのケーブル固定構造において、挿入管と結合リングを詳しく示すための要部拡大斜視図である。
【図７】本発明による防水ファンケースのケーブル固定構造において、加圧突起に傾斜面を形成させた状態を示すための要部拡大図である。
【発明を実施するための形態】
【００２２】
以下、添付の図面を参照して本発明による好ましい実施例を詳しく説明する。
【００２３】
本発明の利点及び特徴、そしてこれを達成する方法は、添付の図面と共に詳しく後述する実施例を参照すれば明確になるであろう。
【００２４】
しかし、本発明は、以下で開示される実施例によって限定されるものではなく、互いに異なる多様な形態で実現されるものであり、単に本実施例は、本発明の開示を完全にして、本発明が属する技術分野で通常の知識を持った者に発明の範囲を完全に知らせるために提供されるものであり、本発明は請求項の範囲によって定義されるだけである。
【００２５】
また、本発明を説明するにあたって、関連の公知技術などが本発明の要旨を曖昧にする可能性があると判断される場合、これに関する詳しい説明は省略する。
【００２６】
図１は、本発明による防水ファンケースのケーブル固定構造を示すための斜視図であり、図２は、本発明による防水ファンケースのケーブル固定構造を示すための正面図である。
【００２７】
そして、図３は、本発明による防水ファンケースのケーブル固定構造を示すための背面図であり、図４は、本発明による防水ファンケースのケーブル固定構造を示すための側面図である。
【００２８】
また、図５は、本発明による防水ファンケースのケーブル固定構造を示すための側断面図であり、図６は、本発明による防水ファンケースのケーブル固定構造において、挿入管と結合リングを詳しく示すための要部拡大斜視図である。
【００２９】
図１〜図６を参照すると、本発明による防水ファンケースのケーブル固定構造は、フレーム１００、挿入管２００、及び、結合リング３００を含む。
【００３０】
先ず、前記フレーム１００の中心部位（前方または後方）にはモータ１０が設置されることができ、前記モータ１０の前方に突出した駆動軸に翼２０が回転可能に設置されることができる。
【００３１】
これとは違って、前記フレーム１００の後面にモータ１０の前端が設置されることもできるが、この場合、前記モータ１０の駆動軸がフレーム１００の前方に突出して形成されることができる。
【００３２】
そして、前記フレーム１００の前方に突出した駆動軸には、翼２０の中心が回転可能に結合することができる。
【００３３】
また、前記フレーム１００の前面には、図１と図４のように、モータ１０またはモータ１０の駆動軸が前後に貫通して結合する結合口１１０が前方に突出して形成されることができる。
【００３４】
例えば、前記フレーム１００の後面にモータ１０が結合する場合、前記結合口１１０の前方に突出した駆動軸に翼２０が回転可能に結合することができる。
【００３５】
さらに、前記フレーム１００は、図１，図２のように、四角枠形状を有することができ、前記フレーム１００の一部には、空気が通過可能な排出口１２０が前後に貫通して形成されることができる。もちろん、前記フレーム１００は図示していないが、円形、多角形状などの枠で形成してもよい。
【００３６】
挿入管２００は、モータ１０に電源を供給するための電源線Ｃを固定させるためのものであり、前記挿入管２００は、フレーム１００の後方に延長することができる。
【００３７】
ここで、前記挿入管２００は、内部に挿入孔２１０が前後に貫通して形成され、横方向が円周をなす円筒形状の管体で形成することができる。
【００３８】
もちろん、前記挿入管２００は、円筒形状だけでなく、横方向が多角形をなす多角形状の管体で形成してもよい。
【００３９】
挿入孔２１０は、後述する結合リング３００を結合する前に、電源線Ｃを円滑に貫通結合するために、電源線Ｃの縦方向の厚さよりさらに広い直径を有することができる。
【００４０】
そして、前記挿入孔２１０は、電源線Ｃの形状と対応する形状を有することができるが、電源線Ｃの縦方向断面が円形形状である場合、前記挿入孔２１０も対応する円形形状を有することができる。
【００４１】
また、挿入管２００は、結合強度を高めるために、フレーム１００の後面に行くほど直径が次第に広くなるテーパ形状を有することができる。
【００４２】
ここで、前記挿入管２００の直径及び形状は、電源線Ｃの形状及び直径によって多様に適用可能である。
【００４３】
さらに、前記挿入管２００の横方向一側には、円周の一部を両方向に分割させた間隔部２２０が形成される。
【００４４】
前記間隔部２２０は、後述する加圧突起３１０が電源線Ｃが挿入される挿入孔２１０に一定長さで進入可能な間隔を形成する。
【００４５】
このような前記間隔部２２０は、挿入管２００の前後に長さを有することができ、後述する加圧突起３２０より長いか、または対応する長さで形成することができる。
【００４６】
即ち、挿入管２００の外部に後述する結合リング３００を対応して結合する場合、後述する加圧突起３１０が間隔部２２０を通じて挿入孔２１０に挿入して電源線Ｃの外周を加圧支持することができる。
【００４７】
そして、前記間隔部２２０を基準として挿入管２００の分割された両端は、挿入孔２１０と反対する横方向に行くほど互いに対応する方向に幅が次第に広くなる案内面２２１がそれぞれ形成されることができる。
【００４８】
前記案内面２２１は、後述する結合リング３００を挿入管２００の後方を通じて外周に結合する際に、後述する加圧突起３２０を挿入孔２１０に案内することができる。
【００４９】
即ち、前記案内面２２１は、後述する加圧突起３２０が挿入される間隔部２２０の入り口を広く形成することもできる。
【００５０】
従って、前記案内面２２１を利用して、挿入管２００の外周に後述する結合リング３００を容易に結合することができる。
【００５１】
特に、前記間隔部２２０内には、前記挿入管より相対的に薄い厚さを有する折り曲げ部材２３０がさらに形成されることができる。
【００５２】
前記折り曲げ部材２３０は、両端が間隔部２２０を基準として挿入管２００の分割された両端にそれぞれ一体で結合することができる。
【００５３】
ここで、前記折り曲げ部材２３０は、挿入管２００と同一材質で形成されてもよく、前記挿入管２００より相対的に薄い厚さで形成されてもよい。
【００５４】
そして、前記折り曲げ部材２３０の両端は、挿入管２００の分割された両端の中心部位に結合するか、挿入孔２１０方向または反対する方向に偏って連結されることができる。
【００５５】
また、前記折り曲げ部材２３０は、挿入管２００と一体をなす合成樹脂材質で形成することができるが、金属などの素材を利用して製作してもよい。
【００５６】
このような前記折り曲げ部材２３０は、加圧突起３１０が横方向に加わる加圧力によって挿入孔２１０の内部に折り曲げ延長する。
【００５７】
この時、前記折り曲げ部材２３０の折り曲げ延長した先端は、電源線Ｃの外部被覆が損傷しないように曲面で形成されることができる。
【００５８】
このような前記折り曲げ部材２３０は、折り曲げ延長した先端が挿入孔２１０に挿入した電源線Ｃの外周を横方向から加圧支持することができる。
【００５９】
結合リング３００は、挿入管２００の後方を通じて雌雄で対応結合し、間隔部２２０に薄い厚さで形成された折り曲げ部材２３０を挿入孔２１０の内部に折り曲げ延長する。
【００６０】
この時、前記挿入孔２１０の内部に折り曲げ延長した折り曲げ部材２３０の先端が電源線Ｃの外周を加圧支持して、電源線Ｃが挿入孔２１０内で移動したり、外部に抜けたりしないようにする。
【００６１】
このための結合リング３００は、挿入管２００の外周に雌雄で対応結合するように中空３１０が前後に貫通して形成されることができる。
【００６２】
ここで、前記中孔３１０は、挿入管２００の外周と密着するように前記挿入管２００と対応する形状を有することができる。
【００６３】
例えば、前記結合リング３００は、横方向が円周をなす円筒形状の管体で形成することができる。
【００６４】
もちろん、前記結合リング３００は、円筒形状だけでなく、横方向が多角形をなす多角形状の管体で形成してもよい。
【００６５】
そして、結合リング３００の内周面には、挿入管２００の外周に対応結合する際に、間隔部２２０を通じて電源線Ｃの外周を加圧支持するための加圧突起３２０が突出して形成される。
【００６６】
前記加圧突起３２０は、結合リング３００の前後の方向に長さを有することができ、前述した間隔部２２０と同一またはさらに狭い幅で形成することができる。
【００６７】
このような前記加圧突起３２０の延長した先端は、折り曲げ部材２３０より挿入孔２１０の内部にさらに延長することができる。
【００６８】
即ち、結合リング３００を挿入管２００の外部に結合する際に、加圧突起３２０の先端が折り曲げ部材２３０を挿入孔２１０の内部に折り曲げ、折り曲げ部材２３０の折り曲げ延長した先端が電源線Ｃの外周を加圧支持することができる。
【００６９】
さらに、前記挿入管２００の内周には、挿入孔２１０内に挿入された電源線Ｃの外周を補助的に加圧支持するための補助加圧突起２４０がさらに突出して形成されることができる。
【００７０】
前記補助加圧突起２４０は、加圧突起３２０と対応する位置に同一線上で位置した状態で、電源線Ｃの外周を補助的に加圧支持することができる。
【００７１】
この状態で、前記補助加圧突起２４０は、反対側に対応して位置した加圧突起３２０と共に挿入孔２１０の内部に貫通結合した電源線Ｃの両端を両方向からそれぞれ支持することができる。
【００７２】
従って、補助加圧突起２４０と加圧突起３２０は、電源線Ｃの外周を二重で加圧支持することで、単純な構造でも電源線Ｃをより強固に支持することができる。
【００７３】
一方、加圧突起３２０の前端には、図７のように、結合リング３００を挿入管２００に結合する際に、折り曲げ部材２３０の後端を挿入孔２１０に押せる傾斜面３２１がさらに形成されることができる。
【００７４】
前記傾斜面３２１は、挿入管２００の外周に結合リング３００を結合する際に、最初に折り曲げ部材２３０の下端を挿入孔２１０に押す役割をする。
【００７５】
従って、前記傾斜面３２１が加圧突起３２０と折り曲げ部材２３０の後端間の係止を防止することができるので、結合リング３００を挿入管２００の外周に容易に結合することができる。
【００７６】
このように説明した本発明による防水ファンケースのケーブル固定構造は、洗浄が可能な多様な防水機器（加湿器など）に適用されて、幅広く使用可能である。
【００７７】
結果として、本発明は、加圧突起３２０が形成された結合リング３００を挿入管２００の外周に対応結合させ、挿入管２００に結合した電源線の外周を加圧支持することで、電源線Ｃに外力が加えられても、電源線Ｃの位置が移動することがなく、あるいは、抜けることがないので、電源線Ｃの連結部位に衝撃が伝わらないため、これを通じて、電源線Ｃとモータ１０の接続部位が分離するか、接続不良となることを防止することができる。
【００７８】
また、電源線Ｃの結合部位に水分が浸透しないため、防水性能を高めることができ、構造が単純であるため、脱着の容易性があり、安価でファンを量産することができる。
【００７９】
これまで本発明の防水ファンケースのケーブル固定構造に関する具体的な実施例について説明したが、本発明の範囲から逸脱しない範囲内では様々な実施変形が可能なことは自明である。
【００８０】
従って、本発明の範囲は、説明された実施例に限られて伝えられてはならず、後述する特許請求の範囲だけでなく、この特許請求の範囲と均等なものにより定められるべきである。
【００８１】
即ち、前述した実施例は、全ての面で例示的なものであり、限定的ではないと理解すべきであり、本発明の範囲は、詳細な説明よりも後述する特許請求の範囲によって表され、その特許請求の範囲の意味及び範囲、そしてその等価概念から導出される全ての変更または変形された形態が本発明の範囲に含まれると解釈されるべきである。
【符号の説明】
【００８２】
１０：モータ
２０：翼
１００：フレーム
１１０：結合口
１２０：排出口
２００：挿入管
２１０：挿入孔
２２０：間隔部
２２１：案内面
２３０：折り曲げ部材
２３１：曲面
２４０：補助加圧突起
３００：結合リング
３１０：中孔
３２０：加圧突起
３２１：傾斜面
Ｃ：電源線
【図１】
0006467730.tif 000002
【図２】
0006467730.tif 000003
【図３】
0006467730.tif 000004
【図４】
0006467730.tif 000005
【図５】
0006467730.tif 000006
【図６】
0006467730.tif 000007
【図７】
0006467730.tif 000008